(57)【要約】【課題】冷媒の封入量に関するクレームが多く、エアコン設置時に冷媒量が正規であるかを把握したいとするニーズがあるが、従来のように冷凍サイクル内部に圧力センサを設けるとコストがかかるという課題があった。【解決手段】通常運転ではない特殊な運転モード１００１を設け、周波数・風向・風量等をあらかじめ定めた規定の状態に固定する１００３ことで、電流値・入力値等をあらかじめ定めた正規状態のものと比較１００５し、規定値範囲に合っていない場合は冷媒が洩れていると判断することで正確に冷媒の封入状態を把握することを可能にするシステムを構築する。【選択図】図１
2006064277.tif 000002
【特許請求の範囲】
【請求項１】
内外に分離されたセパレートタイプの空気調和機において、通常運転ではない特殊な運転モードを設け、周波数・風向・風量等をあらかじめ定めた規定の状態に固定して運転し、電流値・入力値等を測定して、あらかじめ定めた正規状態のものと比較し、規定値範囲に合わない場合は冷媒が洩れていると判断することで正確に冷媒の封入状態を把握することを可能にする手段を有する空気調和機の制御装置。
【請求項２】
冷房運転と暖房運転とを比較し、正規状態からの冷媒の減少量に対する電流値・入力値の変化量が暖房側の方が大きいことから、特殊モードの運転を暖房運転に固定することで精度良く冷媒の減少を把握することを可能にする手段を有する請求項１記載の空気調和機の制御装置。
【請求項３】
内外気温、相対湿度の変化により電流値・入力値が大きく変化することから、特殊モードによる判定運転を行う際は、事前に定めた内外気温・相対湿度による補正値を演算にて算出し、それを測定結果に付加することで精度良く冷媒の減少を把握することを可能にする手段を有する請求項１または２記載の空気調和機の制御装置。
【請求項４】
本体への供給電圧や空気調和機の接続配管の接続長さに関しては、空気調和機自身では認識し得ないのに対し、電流値・入力値が大きく変化する要素であることから、特殊モードによる判定運転を行う際は、供給電圧・配管長の長さの情報を入手することにより、精度良く冷媒の減少を把握することを可能にする手段を有する請求項１から３に記載の空気調和機の制御装置。
【発明の詳細な説明】
【技術分野】
【０００１】
本発明は内外に分離されたセパレートタイプの空気調和機において、少なくとも、室内外のいずれか一方に電子制御装置を有し、その情報により現時点で本体に封入されている冷媒量が正規であるか否かの判断を行うことを可能にした空気調和機の制御装置に関するものである。
【背景技術】
【０００２】
従来、セパレートタイプの空気調和機では、設置の際に室内機と室外機を接続するにあたって途中に接続配管を繋ぐといった作業が発生する。その接続にあたっては冷媒洩れチェックを行うなど、細心の注意を払って行われるが、工事不良がゼロでは無いのが現状であり、有る時間の運転の後、冷媒が多量に抜けてしまっているといったことが発生する。他にも部品の不良等により、既に設置時に冷媒が抜けてしまっているといったことも発生しうる。また、近年エアコンの熱交換器が大きくなり風量が上がってきていることから、冷房時であれば吹出温度が高くなり、冷えが悪いといった判断が市場で行われ、結果として冷媒が洩れていると判断がされることがある。つまり、市場において冷媒の封入量に関するクレームが多く、正確にその封入量を把握することが重要である。
【０００３】
そういったニーズの中、冷凍サイクル内部に圧力センサを設け、その圧力が規定値以下で有れば冷凍サイクルの冷媒量が不足していると判断している（例えば、特許文献１参照）。
【特許文献１】特開平６−３０７７４１号公報
【発明の開示】
【発明が解決しようとする課題】
【０００４】
しかしながら、上記従来の技術では、圧力センサを設ける必要があり、コスト的には非常に高くなるといった課題が発生する。また、電流値・入力値等で検出を行うに当たって、暖房運転時と比較して冷房運転時は冷媒漏れを検出しようとすると、冷媒量変化に対する入力値変化が少ない事から検出精度が低下するといった課題が発生する。また、室内外気温、相対湿度の変化による電流値・入力値等の変化が大きいことから誤検出の恐れを生じるといった課題が発生する。また、空気調和機への供給電圧、内外を繋ぐ接続配管の長さなど、空気調和機としては知り得ない情報に関しては、その影響が大きいのに対し、補正をし得ないことから誤検出の恐れを生じるといった課題が発生する。
【０００５】
本発明は、前記従来の課題を解決するもので、簡単な構成で冷媒漏れを判断できる空気調和機の制御装置を提供することを目的とする。
【課題を解決するための手段】
【０００６】
上記課題を解決するために本発明の空気調和機において通常運転ではなく、エアコン本体の試運転ＳＷ等を押したり、リモコンより特殊な信号を発信するなどして、生じる特殊な運転モードを設け、周波数・風向・風量等をあらかじめ定めた規定の状態に固定して運転し、電流値・入力値等を測定して、電流値・入力値等をあらかじめ定めた正規状態のものと比較し、規定値範囲に合っていない場合は冷媒が洩れていると判断することで正確に冷媒の封入状態を把握することを可能にしたものである。
【０００７】
また、冷房運転と暖房運転とを比較し、正規状態からの冷媒の減少量に対する電流値・入力値の変化量が暖房側の方が大きいことから、特殊モードの運転を暖房運転に固定することで精度良く冷媒の減少を把握することを可能にしたものである。
【０００８】
また、内外気温、相対湿度の変化により電流値・入力値が大きく変化することから、特殊モードによる判定運転を行う際は、事前に定めた内外気温・相対湿度による補正値を演算にて算出し、それを測定結果に付加することで精度良く冷媒の減少を把握することを可能にしたものである。
【０００９】
また、本体への供給電圧や空気調和機の接続配管の接続長さに関しては、空気調和機自身では認識し得ないのに対し、電流値・入力値が大きく変化する要素である。その為、特殊モードによる判定運転を行う際は、供給電圧・配管長の長さを別途、手作業により情報を入手することにより、精度良く冷媒の減少を把握することを可能にしたものである。
【発明の効果】
【００１０】
本発明の空気調和機の制御装置は、特殊な運転モードを設けることにより、電流値・入力値等をあらかじめ定めた正規状態のものと比較し、規定値範囲に合っていない場合は冷媒が洩れていると判断することで、精度よく冷媒の封入状態を把握することができる制御システムを、余分なコストをかけずに実現できるという効果を実現する。
【発明を実施するための最良の形態】
【００１１】
第１の発明は、特殊な運転モードを設け、周波数・風向・風量等をあらかじめ定めた規定の状態に固定して運転し、電流値・入力値等を測定して、電流値・入力値等をあらかじめ定めた正規状態のものと比較し、規定値範囲に合っていない場合は冷媒が洩れていると判断することで正確に冷媒の封入状態を把握することを可能にしたものである。
【００１２】
第２の発明は、冷房運転と暖房運転とを比較し、正規状態からの冷媒の減少量に対する電流値・入力値の変化量が暖房側の方が大きいことから、特殊モードの運転を暖房運転に固定することで精度良く冷媒の減少を把握することを可能にしたものである。
【００１３】
第３の発明は、内外気温、相対湿度の変化により電流値・入力値が大きく変化することから、特殊モードによる判定運転を行う際は、事前に定めた内外気温・相対湿度による補正値を演算にて算出し、それを測定結果に付加することで精度良く冷媒の減少を把握することを可能にしたものである。
【００１４】
第４の発明は、本体への供給電圧や空気調和機の接続配管の接続長さに関しては、空気調和機自身では認識し得ないのに対し、電流値・入力値が大きく変化する要素である。その為、特殊モードによる判定運転を行う際は、供給電圧・配管長の長さを別途、手作業により情報を入手することにより、精度良く冷媒の減少を把握することを可能にしたものである。
【００１５】
以下、本発明の実施の形態について図面を参照して説明する。
【００１６】
（実施の形態１）
図５は本実施の形態１に係る空気調和機の構成を示す模式図である。同図において、１は分離型空気調和機の室外ユニットで、室内ユニット２と接続配管３Ａ、３Ｂや接続電線４で接続されている。室外ユニット１は室外電源板５を有し、アキュームレータ６、圧縮機７、図示しない四方弁、減圧装置等と室外熱交換器８を連結する冷凍サイクル、及びこの室外熱交換器８に室外空気を送風するための室外送風機９が収納され、規定の冷媒量が前記冷凍サイクルに封入されており、これらを繋いでいる配管は弁部１０Ａ、１０Ｂで接続配管３Ａ、３Ｂに接続される。室内ユニット２には、その内部に室内熱交換器１１及びこの室内熱交換器１１に室内空気を送風するための室内送風機１２が収納されており、前記室内熱交換器１１に冷媒を運ぶ配管はジョイント部１３Ａ、１３Ｂで前記接続配管３Ａ、３Ｂの一方と繋がっている。接続配管３Ａ、３Ｂの接続作業は室外機１、室内機２を任意の設置場所に配置した後に現場で行われる。このため作業によっては接続作業時にあやまって冷媒を漏らしてしまい、冷媒が規定量に満たなくなる場合がある。
【００１７】
図１は、本発明の実施の形態１における空気調和機の制御装置を示すブロック図である。
【００１８】
図１において、１００１は冷媒漏れ検出モード開始手段であり、エアコン本体の試運転ＳＷ等を押したり、リモコンより特殊な信号を発信するなどして、エアコンに運転開始信号を送信する。その開始手段からの信号を受け、１００２の冷媒漏れ検出モード認識手段にて認識し、特殊な運転モードを開始する。そして１００３の周波数・風向・風量の固定手段によりあらかじめ定めた規定の状態に固定して運転し、その後１００４の電流値・入力値の検出手段によって運転中のエアコンの電流値・入力値を測定する。１００５は検出された値とあらかじめ定めた正規状態のものと比較する手段であり、規定値以下に下がっている場合は冷媒が洩れていると判断することで正確に冷媒の封入状態を把握することを可能にしたものである。
【００１９】
（実施の形態２）
図２は、本発明の実施の形態２における空気調和機の制御装置を示すブロック図である。
【００２０】
図２において、図１の構成と同一構成要素には同一符号を付与して説明を省略する。図２中、冷房運転と暖房運転とを比較し、正規状態からの冷媒の減少量に対する電流値・入力値の変化量が暖房側の方が大きいことから、２００２にて特殊モードの運転を暖房運転に固定して開始させることで精度良く冷媒の減少を把握することを可能にしたものである。
【００２１】
（実施の形態３）
図３は、本発明の実施の形態３における空気調和機の制御装置を示すブロック図である。
【００２２】
図３において、図１の構成と同一構成要素には同一符号を付与して説明を省略する。図３中、内外気温、相対湿度の変化により電流値・入力値が大きく変化することから、３００５では内外気温・相対湿度の読取手段をもうけ、３００６で事前に定めた内外気温・相対湿度による補正値を演算にて算出し、３００７において補正値を測定結果に付加することで精度良く冷媒の減少を把握することを可能にしたものである。
【００２３】
（実施の形態４）
図４は、本発明の実施の形態４における空気調和機の制御装置を示すブロック図である。
【００２４】
図４において、図１の構成と同一構成要素には同一符号を付与して説明を省略する。図４中、本体への供給電圧やエアコンの接続配管の接続長さに関しては、エアコン自身では認識し得ないのに対し、電流値・入力値が大きく変化する要素である。その為、４００５では供給電圧・配管長の長さの情報を入手し、４００６で補正値を演算にて算出し、４００７において補正値を測定結果に付加することにより、精度良く冷媒の減少を把握することを可能にしたものである。
【産業上の利用可能性】
【００２５】
以上のように、本発明にかかる空気調和機の制御装置は、特殊な運転モードを設けることにより、電流値・入力値等をあらかじめ定めた正規状態のものと比較し、規定値範囲に合っていない場合は冷媒が洩れていると判断することで、精度よく冷媒の封入状態を把握することができる制御システムを、余分なコストをかけずに実現できるので、種々の空気調和機の制御の用途に適用できる。
【図面の簡単な説明】
【００２６】
【図１】本発明の第１の実施形態を示す空気調和機のブロック図
【図２】本発明の第２の実施形態を示す空気調和機のブロック図
【図３】本発明の第３の実施形態を示す空気調和機のブロック図
【図４】本発明の第４の実施形態を示す空気調和機のブロック図
【図５】本発明の第１から４の実施形態に係る空気調和機の構成を示す模式図
【符号の説明】
【００２７】
１  室外ユニット
２  室内ユニット
３Ａ、３Ｂ  接続配管
４  接続電線
５  室外電源板
６  アキュームレータ
７  圧縮機
８  室外熱交換器
９  室外送風機
１０Ａ、１０Ｂ  弁部
１１  室内熱交換器
１２  室内送風機
１３Ａ、１３Ｂ  ジョイント部
１００１  冷媒漏れ検出モード開始手段
１００２  冷媒漏れ検出モード認識・運転開始手段
１００３  周波数・風向・風量の固定手段
１００４  電流値・入力値の検出手段
１００５  検出された値とあらかじめ定めた正規状態のものと比較する手段
２００１  冷媒漏れ検出モード開始手段
２００２  冷媒漏れ検出モード認識・暖房運転開始手段
３００１  冷媒漏れ検出モード開始手段
３００２  冷媒漏れ検出モード認識・運転開始手段
３００６  内外気温・相対湿度による補正値を演算にて算出する手段
３００７  補正値を測定結果に付加する手段
４００１  冷媒漏れ検出モード開始手段
４００２  冷媒漏れ検出モード認識・運転開始手段
４００５  供給電圧・配管長の長さの情報入手手段
４００６  供給電圧・配管長の長さの情報による補正値を演算にて算出する手段
４００７  補正値を測定結果に付加する手段
【図１】
2006064277.tif 000003
【図２】
2006064277.tif 000004
【図３】
2006064277.tif 000005
【図４】
2006064277.tif 000006
【図５】
2006064277.tif 000007